(57)【要約】【課題】電子機器において、簡単な構造で操作キーを安定させる。【解決手段】正面側キャビネット３の上面３ａに押圧式スイッチ５０に対応して形成されたスイッチ用貫通孔３２の周縁に正面側キャビネット３の内側から当接して抜け止めされるフランジ部４２と、このフランジ部４２に連続して外観に露出するキートップ４１とを有する操作キー４０を設ける。操作キー４０に、フランジ部４２をスイッチ用貫通孔３２の周縁側へ付勢する弾性部材４３を設ける。正面側キャビネット３に形成された反力受部３３で弾性部材４３の反力Ｆを受ける。【選択図】図１
2016046185.tif 000002
【特許請求の範囲】
【請求項１】
筐体の一面に対して該筐体の内部に配置された押圧式スイッチと、
上記筐体の一面に上記押圧式スイッチに対応して形成されたスイッチ用貫通孔の周縁に上記筐体の内側から当接して抜け止めされるフランジ部及び該フランジ部に連続して外観に露出するキートップを有する操作キーと、
上記操作キーに設けられ、上記フランジ部を上記スイッチ用貫通孔の周縁側へ付勢する弾性部材とを備え、
上記弾性部材は、上記筐体又は該筐体に取り付けられて上記押圧式スイッチを支持するホルダ部に形成された反力受部で反力を受けるように構成されている
ことを特徴とする電子機器。
【請求項２】
請求項１に記載の電子機器において、
上記弾性部材は、上記キートップと上記押圧式スイッチとの間に介在して該押圧式スイッチを押圧する押し子と一体に形成されたシート状部材よりなる
ことを特徴とする電子機器。
【請求項３】
請求項１に記載の電子機器において、
上記弾性部材は、上記フランジ部から延び、上記反力受部で反力を受けるバネ部を有する
ことを特徴とする電子機器。
【請求項４】
請求項３に記載の電子機器において、
上記バネ部は、上記フランジ部と一体に成形されている
ことを特徴とする電子機器。
【請求項５】
請求項１から４までのいずれか１つに記載の電子機器において、
上記弾性部材は、上記キートップと一体成形されたエラストマー又はシリコーンゴムよりなる
ことを特徴とする電子機器。
【発明の詳細な説明】
【技術分野】
【０００１】
本発明は、筐体の一面の内部に配置された押圧式スイッチを押圧する操作キーを有する電子機器に関するものである。
【背景技術】
【０００２】
従来より、筐体に設けたスイッチ用貫通孔に内側から嵌め込んだ操作キーは、何らかの手段を講じないと、ぐらついて振ったときに音がしたり、押圧感触が悪化したりすることは知られている。
【０００３】
そこで、例えば、特許文献１のように、操作キーの外周のフランジ部の上面と上ケースの貫通孔周囲下面との間に上下方向に反発する弾性体よりなるリング状の板バネを設け、下方へ操作つまみを付勢するものが知られている。この構造では、円板状の操作キーの中心下方に設けたスペーサで板バネの反力を受けるようにした場合、操作キーを真下に押し下げるような構造には適用できない。
【先行技術文献】
【特許文献】
【０００４】
【特許文献１】特開２００７−４８７６０号公報
【発明の概要】
【発明が解決しようとする課題】
【０００５】
一方、操作キーを真下に押し下げることができるようにするには、押圧式スイッチ自体が板バネの反力を受けることになる。
【０００６】
そうすると、可動部品である押圧式スイッチ自身で操作キーを支えなければならないため、スイッチの誤作動を防ぐためには、板バネからの力を押圧式スイッチの動作荷重に対して十分小さくする必要がある。一方で、板バネの付勢力が十分大きくないと操作キーを十分に支持することができずガタツキが生じることになるので、付勢力の調整が困難である。
【０００７】
本発明は、かかる点に鑑みてなされたものであり、その目的とするところは、簡単な構造で操作キーを安定させることある。
【課題を解決するための手段】
【０００８】
上記の目的を達成するために、この発明では、操作キーにフランジ部を設けると共に、該フランジ部をスイッチ用貫通孔の周縁に付勢する弾性部材を設けた。
【０００９】
具体的には、本発明の電子機器は、筐体の一面に対して該筐体の内部に配置された押圧式スイッチと、
上記筐体の一面に上記押圧式スイッチに対応して形成されたスイッチ用貫通孔の周縁に上記筐体の内側から当接して抜け止めされるフランジ部及び該フランジ部に連続して外観に露出するキートップを有する操作キーと、
上記操作キーに設けられ、上記フランジ部を上記スイッチ用貫通孔の周縁側へ付勢する弾性部材とを備えている。
【００１０】
そして、上記弾性部材は、上記筐体又は該筐体に取り付けられて上記押圧式スイッチを支持するホルダ部に形成された反力受部で反力を受けるように構成されている。
【００１１】
上記の構成によると、弾性部材がフランジ部を筐体の内部からスイッチ用貫通孔の周辺側へ操作キーの押下方向と反対側に付勢するようにしたので、フランジ部が弾性部材の付勢力と、スイッチ用貫通孔周縁の反力とで支えられ、操作キーがぐらつかずに安定する。また、筐体又はホルダ部が弾性部材の反力を支持するので、押圧式スイッチ自体が反力を支持する必要がなく、弾性部材の付勢力の微妙な調整を必要としない。
【発明の効果】
【００１２】
以上説明したように、本発明によれば、操作キーにフランジ部を設けると共に、該フランジ部をスイッチ用貫通孔の周縁側へ付勢する弾性部材を設け、この弾性部材が筐体又は筐体に取り付けられて押圧式スイッチを支持するホルダ部に形成された反力受部で反力を受けるようにしたので、簡単な構造で操作キーを安定させることができる。
【図面の簡単な説明】
【００１３】
【図１】図２のＩ−Ｉ線拡大断面図である。
【図２】本発明の実施形態に係る携帯電話機を一部拡大して示す斜視図である。
【図３】携帯電話機を示す分解斜視図である。
【図４】図３のIV部拡大斜視図である。
【図５】図２のＶ−Ｖ線拡大断面図である。
【図６】押圧式スイッチ及びその周辺が見えるようにした拡大斜視図である。
【図７】本発明の実施形態２に係る携帯電話機を示す図１相当図である。
【図８】本発明の実施形態３に係る携帯電話機を示し、（ａ）操作キーを取り付ける前を示す断面図であり、（ｂ）操作キーを取り付けた後を示す断面図である。
【図９】本発明の実施形態４に係る携帯電話機を示し、（ａ）操作キーを取り付ける前を示す断面図であり、（ｂ）操作キーを取り付けた後を示す断面図である。
【図１０】本発明の実施形態５に係る携帯電話機を示し、（ａ）操作キーを取り付ける前の位置関係を模式的に示す断面図であり、（ｂ）操作キーを取り付けた後を示す断面図である。
【発明を実施するための形態】
【００１４】
以下、本発明の実施形態を図面に基づいて説明する。
【００１５】
（実施形態１）
図１〜図６は本発明の実施形態１の電子機器としての携帯電話機１を示し、この携帯電話機１は、例えば手で持ちやすいように上下に長い略直方体状であり、液晶ディスプレイ等を備えた表示部２を正面側に収容する、筐体としての正面側キャビネット３と、この正面側キャビネット３の背面を覆う背面側キャビネット４と、この背面側キャビネット４の背面を覆うリアカバー５とを備えている。正面側キャビネット３と背面側キャビネット４との間には、例えば充電池６や回路基板７が収容されている。
【００１６】
正面側キャビネット３は、略矩形板状をしており、樹脂部分３０に矩形板状のフレーム板金３１がインサート成形されている。なお、正面側キャビネット３は、フレーム板金３１をインサートしたインサート成形品でなくてもよく、樹脂のみで成形されていてもよい。充電池６の上側には、図４に示すように、サブ基板９を収容するサブ基板ホルダ８が設けられ、正面側キャビネット３に取り付けられるようになっている。
【００１７】
例えば、樹脂部分３０の正面から見て上側の上面３ａには、左右に長細いスイッチ用貫通孔３２が貫通形成されている。このスイッチ用貫通孔３２には、例えば電源ボタンなどの操作キー４０が収容されている。スイッチ用貫通孔３２は、上面３ａだけでなく、左右側面、下面、正面、背面のいずれに設けてもよい。
【００１８】
図１に示すように、この操作キー４０に対応させて本実施形態では、正面側キャビネット３の上面３ａの奥側（すなわち、下方）に押圧式スイッチ５０が配置されている。押圧式スイッチ５０は、スイッチ用フレキシブル基板５１に貼り付けられて電気的に接続されている。スイッチ用フレキシブル基板５１は、サブ基板ホルダ８のホルダ部１０に載置されてサブ基板９に接続されている。ホルダ部１０は、平坦なスイッチ受部１１が形成されており、このスイッチ受部１１で押圧式スイッチ５０が押圧されたときの反力を受けるようになっている。本実施形態では、ホルダ部１０は、樹脂部分３０とは別に成形されたサブ基板ホルダ８に設けているが、樹脂部分３０と一体に成形してもよい。
【００１９】
操作キー４０は、図５にも示すように、例えば、樹脂成形品又は金属成形品よりなり、外観に露出する左右に長いキートップ４１を備えている。キートップ４１の形状はこれに限定されないが、本願では、携帯電話機１が矩形板状であり、その幅の狭い上面３ａに操作キー４０を配置しているので、左右に長いものとなっている。このキートップ４１の下側に外形が広くなったフランジ部４２が一体に形成され、操作キー４０がスイッチ用貫通孔３２から抜け止めされている。
【００２０】
フランジ部４２の下側には、左右に長いシート状の弾性部材４３が設けられている。弾性部材４３の形状はこれに限定されないが、キートップ４１の左右に長い形状に合わせて左右に長い形状となっている。この弾性部材４３は、キートップ４１の下面に接着されてもよいし、完全には接着せずに当接するだけでもよい。弾性部材４３の中心には、押圧式スイッチ５０を押圧するための押し子４４が一体に形成されている。押し子４４は、キートップ４１と一体であってもよい。押し子４４の両側には、左右に広がる一対のアーム部４５が設けられている。一対のアーム部４５がフランジ部４２をスイッチ用貫通孔３２の周縁側へ付勢するバネ部を構成している。キートップ４１の形状が円板形状であれば、このバネ部は、フランジ部４２よりも外径の大きい丸いフランジ形状としてもよい。これら押し子４４及び一対のアーム部４５は、弾性部材４３に一体成形されている。これにより、部品点数が減り、組付が容易となる。弾性部材４３は、ポリカーボネートのような硬質樹脂成形品や金属部品でもよいが、シリコーンゴムやエラストマーで構成すれば、適度な弾性と内部減衰能を有する上、キートップ４１と二色成形などにより一体成形できて有利である。一体成形であれば、部品点数が減り、接着する必要もなく、組付が容易である。
【００２１】
そして、図１に白抜き矢印で示すように、弾性部材４３は、正面側キャビネット３に突出して形成された反力受部３３で反力Ｆを受けるように構成されている。押し子４４の下面と押圧式スイッチ５０の上面との間は、隙間が空いているか、当接していてもほとんど力が加わっていない。
【００２２】
このように弾性部材４３がフランジ部４２を正面側キャビネット３の内部からスイッチ用貫通孔３２の周辺側へ操作キー４０の押下方向と反対側に付勢するようにしたので、フランジ部４２が、弾性部材４３の付勢力と、スイッチ用貫通孔３２周縁の反力とで支えられ、操作キー４０がぐらつかずに安定する。
【００２３】
したがって、本実施形態によると、極めて簡単な構造で操作キー４０を安定させることができる。
【００２４】
（実施形態２）
図７は本発明の実施形態２に係る操作キー４０及びその周辺構造を示し、反力受部３３’の構成が異なる点で上記実施形態１と異なる。なお、以下の各実施形態では、図１〜図６と同じ部分については同じ符号を付してその詳細な説明は省略する。
【００２５】
すなわち、本実施形態では、弾性部材４３の反力Ｆを受ける反力受部３３’を正面側キャビネット３に設けるのではなく、正面側キャビネット３に取り付けられて押圧式スイッチ５０を支持するホルダ部１０’と一体に設けている。
【００２６】
このようにすれば、反力受部３３’とスイッチ受部１１との寸法関係が正確となり、弾性部材４３に形成した押し子４４と押圧式スイッチ５０との寸法関係を確保しやすい。
【００２７】
本実施形態においても、押圧式スイッチ５０自体に弾性部材４３の反力Ｆが加わることはないので、従来のような弾性部材４３の付勢力の微妙な調整は必要とされない。
【００２８】
（実施形態３）
図８は本発明の実施形態３に係る操作キー１４０及びその周辺構造を示し、弾性部材１４３の構成が異なる点で上記実施形態１及び２と異なる。
【００２９】
すなわち、本実施形態の操作キー１４０では、バネ部としての一対のアーム部１４５は、フランジ部１４２から真横に延び、フランジ部１４２と一体に成形されている。例えば、アーム部１４５は、エラストマーよりなり、キートップ１４１と二色成形により、一体成形されている。このようにすれば、一対のアーム部１４５をフランジ部１４２の側方に持ってくることができるので、上記各実施形態に比べて弾性部材４３の厚さ分だけ上下に高さを低くすることができる。
【００３０】
本実施形態では、一対のアーム部１４５をフランジ部１４２に連続して一体形成することができるので、部品点数が減ると共に、操作キー１４０の組付が極めて容易である。
【００３１】
本実施形態においても、押圧式スイッチ５０自体に弾性部材１４３の反力Ｆが加わることはないので、従来のような弾性部材１４３の付勢力の微妙な調整は必要とされない。
【００３２】
（実施形態４）
図９は本発明の実施形態４に係る操作キー１４０’及びその周辺構造を示し、弾性部材１４３’の構成が異なる点で上記実施形態３と異なる。
【００３３】
すなわち、本実施形態の操作キー１４０’では、弾性部材１４３’がキートップ１４１’と一体成形されている点で上記実施形態３と同じであるが、本実施形態の弾性部材１４３’は、フランジ部１４２’も構成しており、上記実施形態３に比べて弾性部材１４３’とキートップ１４１’との接合面積が大きくなっている。一対のアーム部１４５’は、例えばキートップ１４１’と二色成形により一体に成形されている。本実施形態では、接合面積が実施形態３に比べて広いので、接着剤等で接着してもよい。
【００３４】
本実施形態ではまた、一対のアーム部１４５’をフランジ部１４２’に連続して一体形成することができるので、部品点数が減ると共に、操作キー１４０’の組付が極めて容易である。
【００３５】
本実施形態においても、押圧式スイッチ５０自体に弾性部材１４３’の反力Ｆが加わることはないので、従来のような弾性部材１４３’の付勢力の微妙な調整は必要とされない。
【００３６】
（実施形態５）
図１０は本発明の実施形態５に係る操作キー２４０及びその周辺構造を示し、弾性部材２４３の構成が異なる点で上記各実施形態と異なる。
【００３７】
すなわち、本実施形態の操作キー２４０では、弾性部材２４３がキートップ２４１と一体成形されている点で上記実施形態３及び４と同じであるが、本実施形態の弾性部材２４３は、キートップ１４１に形成した成形用凹部２４０ａに突起部２４３ａが結合されている。
【００３８】
突起部２４３ａは、例えばキートップ２４１との二色成形時にシリコーンゴム又はエラストマーが流れ込むことで成形されており、成形用凹部２４０ａにしっかりと結合されている。このため、他の実施形態に比べて弾性部材２４３とキートップ２４１とが確実に結合されている。
【００３９】
本実施形態においても、成形時に下方へ撓んだバネ部としての一対のアーム部２４５が干渉部Ａ（図１０（ａ）にクロスハッチングで示す）の分だけ撓むことにより、図１０（ｂ）に示すように反力Ｆを受ける。押圧式スイッチ５０自体に弾性部材２４３の反力Ｆが加わることはないので、従来のような弾性部材２４３の付勢力の微妙な調整は必要とされない。
【００４０】
（その他の実施形態）
本発明は、上記各実施形態について、以下のような構成としてもよい。
【００４１】
すなわち、上記各実施形態では、スイッチ用貫通孔３２を筐体としての正面側キャビネット３に設けたが、例えばスイッチ用貫通孔３２の正面側を正面側キャビネット３で形成し、背面側を筐体としての背面側キャビネット４で形成するようにしてもよい。そうすれば操作キー４０の組付性がよくなる。
【００４２】
また、上記各実施形態では、操作キー４０は、左右に長い操作キー４０としたが、円形又は楕円形のキートップ４１を有するものでもよい。その場合には、弾性部材も円形、又は楕円形とし、一対のアーム部４５ではなく、フランジ状のバネ部を有していてもよい。
【００４３】
上記実施形態では、電子機器は、携帯電話機１としたが、筐体の一面に対して筐体の内部に配置された押圧式スイッチ５０を有するものであれば、タブレット端末、ＰＨＳ（Personal Handy-phone System ）、ＰＤＡ(Personal Digital Assistant)、パソコン、モバイルツール、電子辞書、電卓、ゲーム機等であってもよく、小型の液晶ディスプレイ、液晶テレビ、ブルーレイディスクレコーダ、ＤＶＤレコーダ等であってもよい。
【００４４】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００４５】
１      携帯電話機（電子機器）
２      表示部
３      正面側キャビネット（筐体）
３ａ    上面
４      背面側キャビネット
５      リアカバー
６      充電池
７      回路基板
８      サブ基板ホルダ
９      サブ基板
１０，１０'    ホルダ部
１１      スイッチ受部
３０      樹脂部分
３１      フレーム板金
３２      スイッチ用貫通孔
３３，３３'    反力受部
４０      操作キー
４１      キートップ
４２      フランジ部
４３      弾性部材（シート状部材）
４４      押し子
４５      アーム部（バネ部）
５０      押圧式スイッチ
５１      スイッチ用フレキシブル基板
１４０，１４０'    操作キー
１４１，１４１'    キートップ
１４２，１４２'    フランジ部
１４３，１４３'    弾性部材
１４５，１４５'    アーム部（バネ部）
２４０      操作キー
２４０ａ    成形用凹部
２４１      キートップ
２４３      弾性部材
２４３ａ    突起部
２４５      アーム部
【図１】
2016046185.tif 000003
【図２】
2016046185.tif 000004
【図３】
2016046185.tif 000005
【図４】
2016046185.tif 000006
【図５】
2016046185.tif 000007
【図６】
2016046185.tif 000008
【図７】
2016046185.tif 000009
【図８】
2016046185.tif 000010
【図９】
2016046185.tif 000011
【図１０】
2016046185.tif 000012